(57)【特許請求の範囲】
【請求項１】
左右１対の支柱の上端部間に連結杆または背板を架設するとともに、各支柱の上端部に前方を向くブラケットを設け、この左右のブラケットの上部間に上面板を架設し、かつ上面板の下方に照明器具を配設した陳列棚の天板構造において、
前記上面板の後端と連結杆または背板との間に形成された間隙内に、塞ぎ材に設けた垂下部を嵌合し、前記垂下部の上部より前方に延出する前向き突片を、上面板の後端部上に載置し、かつ前記垂下部の上部より後方に延出する後向き突片を、前記連結杆または背板の上端上に載置し、さらに前記塞ぎ材の垂下部の下端に、前方を向く前向き突片を設け、前記垂下部と上下の前向き突片とにより形成されるコ字形部に、上面板の後端部を前後方向に摺動自在に嵌合したことを特徴とする陳列棚の天板構造。
【請求項２】
垂下部の後面を、連結杆または背板上部の前面に接触させ、かつ上下の前向き突片の前後方向の長さを、上下の前向き突片の前端部が上面板の後端部の上下面と重合する程度に長くした請求項１記載の陳列棚の天板構造。
【発明の詳細な説明】
【０００１】
【発明の属する技術分野】
本発明は、店舗等で使用される陳列棚の天板構造に関する。
【０００２】
【従来の技術】
従来、この種の天板構造においては、前面に商品名等を記載した透光性のサインボードが設けられ、かつ内部に照明器具が配設されている。
そして、照明器具の光が外部に漏れないように、上面板の後端を背板に突き合わせるか、または上面板の後端上部に設けた後方を向く突片を背板の上端に載置させている。
【０００３】
【発明が解決しようとする課題】
しかし、背板を支えている左右１対の支柱の前後方向の寸法や、支柱に対する背板の取付け位置等は、使用状況により変更することがあり、その場合、上面板の後端と背板との間に間隙が生じ、そこから照明器具の光が外部に漏れることがある。
そのため、従来の天板構造は、支柱の前後方向の寸法の変更や、支柱に対する背板の取付け位置の変更等に応じて、前後方向の寸法が異なる多数の上面板を用意しておかなければならないという問題がある。
【０００４】
本発明は、上記の問題点に鑑み、支柱の前後方向の寸法の変更や、支柱に対する背板の取付け位置の変更等が生じても、上面板の寸法を変更することなく、上面板と背板等との間に間隙が生じないようにすることができ、もって、照明器具の光が外部に漏れることがないようにした陳列棚の天板構造を提供することを目的としている。
【０００５】
【課題を解決するための手段】
本発明によると、上記課題は、次のようにして解決される。
(１)  左右１対の支柱の上端部間に連結杆または背板を架設するとともに、各支柱の上端部に前方を向くブラケットを設け、この左右のブラケットの上部間に上面板を架設し、かつ上面板の下方に照明器具を配設した陳列棚の天板構造において、前記上面板の後端と連結杆または背板との間に形成された間隙内に、塞ぎ材に設けた垂下部を嵌合し、前記垂下部の上部より前方に延出する前向き突片を、上面板の後端部上に載置し、かつ前記垂下部の上部より後方に延出する後向き突片を、前記連結杆または背板の上端上に載置し、さらに前記塞ぎ材の垂下部の下端に、前方を向く前向き突片を設け、前記垂下部と上下の前向き突片とにより形成されるコ字形部に、上面板の後端部を前後方向に摺動自在に嵌合する。
【０００６】
(２)  上記(１)項において、垂下部の後面を、連結杆または背板上部の前面に接触させ、かつ上下の前向き突片の前後方向の長さを、上下の前向き突片の前端部が上面板の後端部の上下面と重合する程度に長くする。
【０００７】
【発明の実施の形態】
図１〜図５は、本発明の第１の実施形態を示す。
この陳列棚(１)の天板構造(２)においては、左右１対の支柱(３)(３)の対向面の上端部中央間に、断面形状が下向きコ字状の連結杆(４)が架設され、連結杆(４)の下面には、両支柱(３)(３)間に支持された背板(５)の上端部が嵌合されている。なお、連結杆(４)を省略し、背板(５)の上端が両支柱(３)(３)の上端と等高となるようにしたものもある。
【０００８】
支柱(３)の前面(3a)には、多数のスリット(９)が、上下方向に等間隔に、左右２列として穿設されており、その上部のスリット(９)に、前後方向を向くブラケット(６)の後端に突設した爪(6a)を係止することにより、左右１対のブラケット(６)(６)が各支柱(３)の上端部より前方を向くように支持されている。
陳列棚(１)を左右方向に連続して配設したときの最も外側のブラケット(６)の外側面には、化粧用の側板(6b)が係止される。
【０００９】
左右１対のブラケット(６)(６)の前端部間には、前面に商品名等を記載した透光性の正面板(サインボード)(７)が装着され、また左右のブラケット(６)(６)の上部間には、上面板(８)が架設され、上面板(８)の下方には、照明器具(図示略)が配設されている。
【００１０】
上面板(８)の後端部の垂下片(8a)と連結杆(４)との間には、左右方向を向く長尺の塞ぎ材(10)が配設されている。
塞ぎ材(10)は、図４に示すように、断面段状に折曲した金属製(または合成樹脂製としてもよい)の２枚の板材(11)(12)を互いに逆向きにして水平部分をスポット溶接することによって形成され、上面板(８)の後端の垂下片(8a)と連結杆(４)との間の間隙(Ｓ1)内に上方より嵌合された側面視上向きコ字状をなす垂下部(10a)と、垂下部(10a)の上部より前方に延出する前向き突片(10b)と、垂下部(10a)の下部より後方に延出する側面視後向直立Ｚ形の後向き突片(10c)と、垂下部(10a)の下部より前方に延出する前向き突片(10d)とを備えている。垂下部(10a)と、その前面の上下部に設けられた前向き突片(10b)(10d)とにより、前方に向かって開口するコ字形部(10e)が形成されている。
【００１１】
塞ぎ材(10)は、その垂下部(10a)の後面を、連結杆(４)の前面に接触させ、かつコ字形部(10e)に、上面板(８)の後端部(8a)を前後方向に摺動自在に嵌合し、さらに後向き突片(10c)を連結杆(４)の上面に載置することにより、上面板(８)の垂下片(8a)と連結杆(４)との間の間隙(Ｓ1)内に垂下部(10a)が落ち込むようにして支持されている。
【００１２】
すなわち、上方の前向き突片(10b)が上面板(８)の垂下片(8a)の上面に載置され、かつ後向き突片(10c)が連結杆(４)の上面に載置されることにより、塞ぎ材(10)の全荷重が受けられ、垂下部(10a)が、左右のブラケット(６)(６)間において、上記間隙(Ｓ1)内に嵌合していることにより、塞ぎ材(10)の左右方向の移動が阻止され、さらに、下方の前向き突片(10d)が上面板(８)の後端の垂下片(8a)の下面に係合することにより、塞ぎ材(10)の上方への移動が阻止される。
【００１３】
また、垂下部(10a)と上方の前向き突片(10b)と後向き突片(10c)とにより、間隙(Ｓ1)の上端部が閉塞され、かつ垂下部(10a)の下面と下方の前向き突片(10d)とにより、間隙(Ｓ1)の下端部が閉塞されることにより、照明器具の光がこの間隙(Ｓ1)を通して外部に漏れることが確実に阻止される。
【００１４】
さらに、支柱(３)の前後方向の寸法を、図４に示す(Ｗ1)から図５に示す(Ｗ2)に、またはその逆に変更し、上面板(８)の後端の垂下片(8a)と連結杆(４)との間の間隙が(Ｓ1)から(Ｓ2)に、またはその逆に変わったような場合でも、塞ぎ材(10)のコ字形部(10e)への上面板(８)の後端の垂下片(8a)の差込み距離(Ｌ)を変えることにより、間隙(Ｓ1)(Ｓ2)を常に確実に閉塞し、照明器具の光がこの間隙(Ｓ1)を通して決して外部に漏れることがないようにすることができる。
【００１５】
上下の前向き突片(10b)(10d)の長さは、間隙(Ｓ1)を、変更される可能性のある最大のものとした場合でも、垂下部(10a)の後面を連結杆(４)の前面に接触させたときに、両前向き突片(10b)(10d)の前端部が、上面板(８)の後端の垂下片(8a)の上下面と辛うじて重合する程度の長さとする。
【００１６】
図６及び図７は、本発明の第２の実施形態を示す。
この実施形態においては、前後方向の中間部を下向きにコ字状に折曲することにより断面形状をいわゆる逆ハット状とした板材(14)の下面に、ほぼ水平の平板状の板材(15)の後部をスポット溶接することにより、第１の実施形態における塞ぎ材(10)とほぼ同様の形状の塞ぎ材(13)を形成している。
【００１７】
すなわち、板材(14)の上向きコ字状の中間部により垂下部(13a)が、その前後の板材(14)の端部により、上方の前向き突片(13b)と後向き突片(13c)とが、また板材(15)の前部により、下方の前向き突片(13d)が形成され、さらに、垂下部(13a)と、その前面の上下部に設けられた前向き突片(13b)(13d)とにより、前方に向かって開口するコ字形部(13e)が形成されている。
【００１８】
この第２の実施形態においても、支柱(３)の前後方向の寸法を、図６に示す(Ｗ1)から図７に示す(Ｗ2)に、またはその逆に変更し、上面板(８)の後端の垂下片(8a)と連結杆(４)との間の間隙が(Ｓ1)から(Ｓ2)に、またはその逆に変わったような場合でも、塞ぎ材(13)のコ字形部(13e)への上面板(８)の後端の垂下片(8a)の差込み距離(Ｌ)を変えることにより、間隙(Ｓ1)(Ｓ2)を常に確実に閉塞し、照明器具の光がこの間隙(Ｓ1)を通して決して外部に漏れることがないようにすることができる。すなわち、第１の実施形態のものと同様の作用及び効果を奏することができる。
また、第１の実施形態のものより、塞ぎ材(13)を容易に製造できるという利点がある。
【００１９】
第１及び第２の両実施形態においては、塞ぎ材(10)(13)の垂下部(10a)(13a)を上向きコ字状としてあるので、その内部に、陳列棚(１)の照明器具の電源コード等を収容することができる。
【００２０】
なお、第２の実施形態において、平板状の板材(15)を省略して、逆ハット状の板材(14)のみにより塞ぎ材(13)を形成したり、または、第１の実施形態において、下方の前向き突片(10d)を省略したりすることができる。
この場合には、塞ぎ材(10)(13)の上方への移動を阻止することはできないが、塞ぎ材(10)(13)の自重により、塞ぎ材(10)(13)は脱落することはない。
【００２１】
図８及び図９は、本発明の第３の実施形態を示す。
この実施形態においては、塞ぎ材(16)を、段状に屈曲した板材(17)の後端部上面に、水平板状の板材(18)の後端部をスポット溶接することにより形成している。
【００２２】
すなわち、板材(17)の中間の垂直部分により、垂下部(16a)が、その垂下部(16a)より前方に延出する板材(18)の部分により、上方の前向き突片(16b)が、垂下部(16a)の上端より後方に延出する板材(17)の後端部と板材(18)の後端部とにより、後向き突片(16c)が、また垂下部(16a)の下端より前方に延出する板材(17)の前部により、下方の前向き突片(16d)が形成され、さらに、垂下部(16a)と、その前面の上下部に設けられた前向き突片(16b)(16d)とにより、前方に向かって開口するコ字形部(16e)が形成されている。
【００２３】
この第３の実施形態においても、支柱(３)の前後方向の寸法を、図８に示す(Ｗ1)から図９に示す(Ｗ2)に、またはその逆に変更し、上面板(８)の後端の垂下片(8a)と連結杆(４)との間の間隙が(Ｓ1)から(Ｓ2)に、またはその逆に変わったような場合でも、塞ぎ材(16)のコ字形部(16e)への上面板(８)の後端の垂下片(8a)の差込み距離(Ｌ)を変えることにより、間隙(Ｓ1)(Ｓ2)を常に確実に閉塞し、照明器具の光がこの間隙(Ｓ1)を通して決して外部に漏れることがないようにすることができる。すなわち、第１の実施形態のものと同様の作用及び効果を奏することができる。
【００２４】
また、第３の実施形態においては、垂下部(16a)の前後方向の幅を板材(17)の板厚まで小とし、その分、上下の前向き突片(16b)(16d)の長さを大として、調整代を大とすることができる。
【００２５】
なお、塞ぎ材(10)(13)(16)は、上面板(８)の後端の垂下片(8a)と連結杆(４)との間の隙間を塞いでいるが、連結杆(４)を省略し、背板(５)の上端を上面板(８)の上面とほぼ同一の高さまで延長し、その背板(５)の上端と上面板の後端の垂下片(8a)との間の隙間を塞ぐこともできる。
【００２６】
【発明の効果】
請求項１記載の発明によると、支柱の前後方向の寸法の変更や、支柱に対する背板の取付け位置の変更等により、上面板と背板等との間に間隙が生じたとしても、その間隙に塞ぎ材を嵌合することにより、上面板の寸法を変更することなく、上記間隙から照明器具の光が外部に漏れないようにすることができる。
また、塞ぎ材の前向き突片及び後ろ向き突片の長さをある程度長くしておけば、上記間隙の寸法が変わっても対応することができ、寸法の異なる多数の塞ぎ材や上面板を用意しておく必要がない。
【００２７】
また、下方の前向き突片により、塞ぎ材の上方への移動が阻止され、塞ぎ材が脱落するのを防止することができ、上面板の後端部と連結杆または背板との間の間隙寸法が変わった場合は、上面板の後端部に対する塞ぎ材のコ字状部の差込み距離を変えることによって、上記間隙を常に確実に閉塞することができる。
さらに、塞ぎ材の下方の前向き突片が上面板の下面と重なって、間隙の下端部を確実に閉塞するので、陳列棚の天板の下方からの見栄えをよくすることができる。
【００２８】
請求項２記載の発明の発明によると、想定した支柱の前後方向の寸法の変更や、支柱に対する背板の取付け位置の変更等の範囲内においては、間隙の上部と下部の２箇所で確実に閉塞して、上記間隙から照明器具の光が外部に漏れないようにすることができる。
【図面の簡単な説明】
【図１】本発明の第１の実施形態の天板構造を示す分解斜視図である。
【図２】図１の天井構造を備えた陳列棚の外観斜視図である。
【図３】同じく平面図である。
【図４】図３のIV−IV線に沿う拡大断面図である。
【図５】上面板の後端部と連結杆との間隙を図４のものより小としたときの図４と同様の部分の断面図である。
【図６】本発明の第２の実施形態における、図４と同様の部分の断面図である。
【図７】同じく、上面板の後端部と連結杆との間隙を図６のものより小としたときの図６と同様の部分の断面図である。
【図８】本発明の第３の実施形態における、図４と同様の部分の断面図である。
【図９】同じく、上面板の後端部と連結杆との間隙を図８のものより小としたときの図８と同様の部分の断面図である。
【符号の説明】
(１)陳列棚
(２)天板構造
(３)支柱
(3a)前面
(４)連結杆
(５)背板
(６)ブラケット
(6a)爪
(6b)側板
(７)正面板
(８)上面板
(8a)垂下片
(９)スリット
(10)塞ぎ材
(10a)垂下部
(10b)前向き突片
(10c)後向き突片
(10d)前向き突片
(10e)コ字形部
(11)板材
(12)板材
(13)塞ぎ材
(13a)垂下部
(13b)前向き突片
(13c)後向き突片
(13d)前向き突片
(13e)コ字形部
(14)板材
(15)板材
(16)塞ぎ材
(16a)垂下部
(16b)前向き突片
(16c)後向き突片
(16d)前向き突片
(16e)コ字形部
(17)板材
(18)板材
【図１】
0003567362.tif 000002
【図２】
0003567362.tif 000003
【図３】
0003567362.tif 000004
【図４】
0003567362.tif 000005
【図５】
0003567362.tif 000006
【図６】
0003567362.tif 000007
【図７】
0003567362.tif 000008
【図８】
0003567362.tif 000009
【図９】
0003567362.tif 000010